(57)【特許請求の範囲】
【請求項１】
デザイン作成に関するテンプレートが喚起する印象に従って互いに異なる印象を喚起する複数のテンプレートがマッピングされた複数次元のテンプレート印象マップ上の表示対象領域を、表示手段に表示させる表示制御手段と、
前記テンプレート印象マップ上にマッピングされた前記複数のテンプレートの中から選択されたテンプレートを用いて出力物を作成する出力物作成手段と、
を有し、
前記テンプレートは複数のオブジェクトによって構成されており、
各オブジェクトには、オブジェクトのデザインを規定する複数のデザイン要素が属しており、
当該情報処理装置は、
前記オブジェクト毎のオブジェクト印象マップを記憶する記憶手段であって、前記デザイン要素が喚起する印象に従って前記複数のデザイン要素がマッピングされた複数次元のオブジェクト印象マップを記憶する記憶手段と、
前記オブジェクト毎に、前記オブジェクト印象マップから、前記テンプレートに用いられている前記デザイン要素の前記オブジェクト印象マップ上の位置を示す情報を取得し、前記各オブジェクトについての前記デザイン要素の位置の平均値を、前記テンプレート印象マップ上において前記テンプレートが配置される位置として決定して前記テンプレート印象マップを作成する作成手段と、
を有する情報処理装置。
【請求項２】
コンピュータを、
デザイン作成に関するテンプレートが喚起する印象に従って互いに異なる印象を喚起する複数のテンプレートがマッピングされた複数次元のテンプレート印象マップ上の表示対象領域を、表示手段に表示させる表示制御手段、
前記テンプレート印象マップ上にマッピングされた前記複数のテンプレートの中から選択されたテンプレートを用いて出力物を作成する出力物作成手段、
として機能させ、
前記テンプレートは複数のオブジェクトによって構成されており、
各オブジェクトには、オブジェクトのデザインを規定する複数のデザイン要素が属しており、
前記コンピュータを更に、
前記オブジェクト毎のオブジェクト印象マップであって、前記デザイン要素が喚起する印象に従って前記複数のデザイン要素がマッピングされた複数次元のオブジェクト印象マップから、前記オブジェクト毎に、前記テンプレートに用いられている前記デザイン要素の前記オブジェクト印象マップ上の位置を示す情報を取得し、前記各オブジェクトについての前記デザイン要素の位置の平均値を、前記テンプレート印象マップ上において前記テンプレートが配置される位置として決定して前記テンプレート印象マップを作成する作成手段、
として機能させるプログラム。
【発明の詳細な説明】
【技術分野】
【０００１】
本発明は、情報処理装置及びプログラムに関する。
【背景技術】
【０００２】
デザインの作成者が、複数のテンプレート（デザインサンプル）の中から特定のテンプレートを選択し、その特定のテンプレートを用いて、ある対象物のデザインを作成する場合がある。
【０００３】
特許文献１には、ユーザによって選択された基本デザインに関する派生デザインを表示する装置が開示されている。
【０００４】
特許文献２には、テンプレート用マップ上で指定された情報に基づいてテンプレート全体のデザインを変更し、部品用マップ上で指定された情報に基づいて、テンプレートを構成するデザイン部品のデザインを変更する装置が開示されている。
【先行技術文献】
【特許文献】
【０００５】
【特許文献１】特開２０１０−３３５５１号公報
【特許文献２】特開２０１５−１６９９５８号公報
【発明の概要】
【発明が解決しようとする課題】
【０００６】
通常、複数のテンプレートが登録順や名称順に並んで画面に表示され、当該複数のテンプレートの中から目的のテンプレートがユーザによって選択される。この場合、目的のテンプレートを見つけ出すことが必ずしも容易とは限らず、登録されているテンプレートの数が膨大になると、その探索に要する手間や時間が増大する。
【０００７】
本発明の目的は、複数のテンプレートが登録順や名称順に並んで表示される場合と比べて、目的の印象を喚起するテンプレートを容易に見つけられるようにすることにある。
【課題を解決するための手段】
【００１２】
請求項１に係る発明は、デザイン作成に関するテンプレートが喚起する印象に従って互いに異なる印象を喚起する複数のテンプレートがマッピングされた複数次元のテンプレート印象マップ上の表示対象領域を、表示手段に表示させる表示制御手段と、前記テンプレート印象マップ上にマッピングされた前記複数のテンプレートの中から選択されたテンプレートを用いて出力物を作成する出力物作成手段と、を有し、前記テンプレートは複数のオブジェクトによって構成されており、各オブジェクトには、オブジェクトのデザインを規定する複数のデザイン要素が属しており、当該情報処理装置は、前記オブジェクト毎のオブジェクト印象マップを記憶する記憶手段であって、前記デザイン要素が喚起する印象に従って前記複数のデザイン要素がマッピングされた複数次元のオブジェクト印象マップを記憶する記憶手段と、前記オブジェクト毎に、前記オブジェクト印象マップから、前記テンプレートに用いられている前記デザイン要素の前記オブジェクト印象マップ上の位置を示す情報を取得し、前記各オブジェクトについての前記デザイン要素の位置の平均値を、前記テンプレート印象マップ上において前記テンプレートが配置される位置として決定して前記テンプレート印象マップを作成する作成手段と、を有する情報処理装置である。
【００１６】
請求項２に係る発明は、コンピュータを、デザイン作成に関するテンプレートが喚起する印象に従って互いに異なる印象を喚起する複数のテンプレートがマッピングされた複数次元のテンプレート印象マップ上の表示対象領域を、表示手段に表示させる表示制御手段、前記テンプレート印象マップ上にマッピングされた前記複数のテンプレートの中から選択されたテンプレートを用いて出力物を作成する出力物作成手段、として機能させ、前記テンプレートは複数のオブジェクトによって構成されており、各オブジェクトには、オブジェクトのデザインを規定する複数のデザイン要素が属しており、前記コンピュータを更に、前記オブジェクト毎のオブジェクト印象マップであって、前記デザイン要素が喚起する印象に従って前記複数のデザイン要素がマッピングされた複数次元のオブジェクト印象マップから、前記オブジェクト毎に、前記テンプレートに用いられている前記デザイン要素の前記オブジェクト印象マップ上の位置を示す情報を取得し、前記各オブジェクトについての前記デザイン要素の位置の平均値を、前記テンプレート印象マップ上において前記テンプレートが配置される位置として決定して前記テンプレート印象マップを作成する作成手段、として機能させるプログラムである。
【発明の効果】
【００１７】
請求項１，２に係る発明によると、複数のテンプレートが登録順や名称順に並んで表示される場合と比べて、目的の印象を喚起するテンプレートを容易に見つけることが可能となる。また、印象マップのサイズを常に固定する場合と比べて、目的の印象を喚起するテンプレートの探索が容易になる。
【図面の簡単な説明】
【００２１】
【図１】本発明の実施形態に係るデザイン作成システムを示すブロック図である。
【図２】本実施形態に係るデザイン作成装置を示すブロック図である。
【図３】端末装置を示すブロック図である。
【図４】テンプレートの構成を示す模式図である。
【図５】テンプレート印象マップの一例を示す図である。
【図６】表題文字印象マップの一例を示す図である。
【図７】本文文字印象マップの一例を示す図である。
【図８】画像印象マップの一例を示す図である。
【図９】図形色印象マップの一例を示す図である。
【図１０】図形影印象マップの一例を示す図である。
【図１１】テンプレート印象マップの作成処理を示すフローチャートである。
【図１２】テンプレート印象マップの一例を示す図である。
【図１３】通常サイズのテンプレート印象マップの一例を示す図である。
【図１４】縮小後のテンプレート印象マップの一例を示す図である。
【図１５】テンプレート印象マップの一例を示す図である。
【図１６】表示ウィンドウの一例を示す図である。
【図１７】表示ウィンドウの一例を示す図である。
【図１８】通常サイズのテンプレート印象マップの一例を示す図である。
【図１９】縮小後のテンプレート印象マップの一例を示す図である。
【発明を実施するための形態】
【００２２】
本発明の実施形態に係る情報処理システムとしてのデザイン作成システムについて説明する。図１には、本実施形態に係るデザイン作成システムの一例が示されている。デザイン作成システムは、情報処理装置としてのデザイン作成装置１０と端末装置１２とを含む。デザイン作成装置１０と端末装置１２は、ネットワーク等の通信経路Ｎに接続されている。図１に示す例では、１つの端末装置１２が通信経路Ｎに接続されているが、複数の端末装置１２が通信経路Ｎに接続されてもよい。
【００２３】
デザイン作成装置１０は、対象物のデザイン作成に関するテンプレートのデータを記憶しており、そのテンプレートのデータを提供し、ユーザの指示に応じてテンプレートを編集し、その編集物としての出力物（例えば画像データ等）を提供する装置である。対象物は、例えば、名刺、チラシ、広告、ダイレクトメール（ＤＭ）、ポスター、はがき、カタログ、その他の文書、衣服、車、建物、橋、等である。また、デザイン作成装置１０は、他の装置との間でデータを送受信する機能を備えている。
【００２４】
端末装置１２は、ＰＣ（パーソナルコンピュータ）、タブレットＰＣ、スマートフォン、携帯電話、等の装置であり、他の装置との間でデータを送受信する機能を備えている。端末装置１２は、例えば対象物のデザインを作成するときに使用される。
【００２５】
本実施形態では、互いにデザインの異なる複数のテンプレートがマッピングされたテンプレート印象マップが、デザイン作成装置１０から端末装置１２に提供される。端末装置１２において特定のテンプレートが指定され、そのテンプレートを用いて出力物が作成される。
【００２６】
なお、端末装置１２がデザイン作成装置１０に組み込まれて、デザイン作成装置１０と端末装置１２が物理的に一体化された装置であってもよい。
【００２７】
以下、図２を参照して、デザイン作成装置１０の構成について詳しく説明する。図２には、デザイン作成装置１０の構成が示されている。
【００２８】
通信部１４は通信インターフェースであり、通信経路Ｎを介して、他の装置にデータを送信する機能、及び、他の装置からデータを受信する機能を備えている。例えば、通信部１４によって、テンプレート印象マップのデータが端末装置１２に送信され、端末装置１２から送信された情報が受信される。
【００２９】
情報記憶部１６はハードディスク等の記憶装置であり、テンプレート記憶部１８、印象マップ記憶部２０及び履歴情報記憶部２２を含む。
【００３０】
テンプレート記憶部１８には、互いにデザインの異なる複数のテンプレートのデータが予め記憶されている。テンプレートは、対象物についてのデザインの雛型である。対象物毎に、互いにデザインの異なる複数のテンプレートが予め作成されてテンプレート記憶部１８に記憶されている。例えば、名刺について互いにデザインの異なる複数のテンプレートが予め作成されている。他の対象物についても同様である。各テンプレートには、当該テンプレートを識別するための識別情報（例えば、テンプレートの名称やテンプレートＩＤ等）、テンプレートの用途（テンプレートに適した対象物）を示す情報、及び、テンプレートが喚起するテイストを示す情報、等が対応付けられている。これらの情報を用いて、テンプレートが検索されるようになっている。テイストは、例えば、ある対象に対して人が有する印象を類型化した嗜好モデルに従って予め決定されている。
【００３１】
テンプレートは、例えば１又は複数種類のオブジェクト（デザインアイテム、デザイン部品）によって構成されている。チラシや広告のテンプレートにおいては、オブジェクトは、例えば、表題（タイトル）文字オブジェクト、本文文字オブジェクト、画像オブジェクト、図形オブジェクト、等である。画像オブジェクトは、例えばビットマップ形式の画像データである。図形オブジェクトは、例えばベクタ形式で表される図形データである。各オブジェクトには、当該オブジェクトのデザインを規定する複数の異なるデザイン要素が属しており、テンプレートは、各オブジェクトのデザイン要素によって構成されている。テンプレートについては、図４を参照して後で詳しく説明する。
【００３２】
印象マップ記憶部２０には、テンプレート印象マップ（テンプレートテイストマップ）のデータとオブジェクト印象マップ（オブジェクトテイストマップ）のデータが記憶されている。オブジェクト印象マップとして、例えば、表題文字印象マップ、本文文字印象マップ、画像印象マップ、図形色印象マップ、図形影印象マップ、等の印象マップが、印象マップ記憶部２０に記憶されている。
【００３３】
テンプレート印象マップは、各テンプレートが喚起するテイスト（印象）に従って、互いに異なるテイストを喚起する複数のテンプレート（互いにテイストが異なる複数のテンプレート）がマッピングされた複数次元のマップである。つまり、テンプレート印象マップは、テンプレートについてのデザインのバリエーションを示すマップである。各テンプレートが喚起するテイストが、テンプレート印象マップ上の座標に対応しており、各テンプレートが喚起するテイストに従って、各テンプレートがテンプレート印象マップ上に配置されている。
【００３４】
オブジェクト印象マップは、オブジェクトに属する各デザイン要素が喚起するテイストに従って、当該オブジェクトに属する複数の異なるデザイン要素がマッピングされた複数次元のマップである。つまり、オブジェクト印象マップは、オブジェクトについてのデザインのバリエーションを示すマップである。オブジェクト印象マップにおいては、テンプレート印象マップにおけるマッピング条件と同一の条件に従って、各デザイン要素がマッピングされている。オブジェクトに属する各デザイン要素が喚起するテイストが、オブジェクト印象マップ上の座標に対応しており、各デザイン要素が喚起するテイストに従って、各デザイン要素がオブジェクト印象マップ上に配置されている。対象物毎にオブジェクト印象マップが作成される。例えば、名刺やチラシ毎に異なるオブジェクト印象マップが作成される。他の対象物についても同様である。なお、オブジェクトの種類によっては、複数の対象物で共通のオブジェクト印象マップが利用されてもよい。
【００３５】
テンプレート印象マップ及びオブジェクト印象マップは、例えばｎ次元（ｎは２以上の整数）の軸で規定されるｎ次元マップであり、一例として、２次元の軸で規定される２次元マップである。テンプレート印象マップについては、図５を参照して後で詳しく説明する。オブジェクト印象マップについては、図６から図１０を参照して後で詳しく説明する。
【００３６】
履歴情報記憶部２２には、テンプレート毎の利用履歴を示す利用履歴情報が記憶されている。利用履歴情報においては、例えば、各テンプレートのテンプレートＩＤと、各テンプレートの利用回数（利用頻度）と、が対応付けられている。利用回数は、例えば、テンプレートがコピーされた回数（コピー数、コピー頻度）、テンプレートがダウンロードされた回数（ダウンロード数、ダウンロード頻度）、テンプレートへのアクセスの回数（アクセス数、アクセス頻度）、等である。テンプレートの利用履歴は、制御部３０によって管理される。制御部３０は、各テンプレートについての利用回数をカウントし、テンプレートが利用される度に利用履歴情報を更新する。例えば、ユーザが端末装置１２を利用して、テンプレートをダウンロードしてテンプレートを編集した場合、そのダウンロードの履歴が利用履歴として履歴情報記憶部２２に記憶される。
【００３７】
出力物作成部２４は、テンプレートを用いて出力物を作成する。出力物作成部２４は、例えば、ユーザによって与えられた編集指示に従って、ユーザによって指定された特定のテンプレートを編集する。これにより、対象物についての出力物（画像データ等）が作成される。例えば、名刺のテンプレートが編集された場合、その名刺についての出力物（画像データ等）が作成される。出力物は、通信経路Ｎを介してデザイン作成装置１０から端末装置１２に送信されてもよいし、印刷されてもよい。
【００３８】
印象マップ作成部２６は、各テンプレートが喚起するテイストに従って、互いに異なるテイストを喚起する複数のテンプレートを複数次元のマップ上にマッピングすることにより、テンプレート印象マップを作成する。印象マップ作成部２６は、例えばオブジェクト印象マップを利用することにより、テンプレート印象マップを作成する。印象マップ作成部２６による処理については後で詳しく説明する。
【００３９】
ＵＩ部２８はユーザインターフェースであり、表示部と操作部を含む。表示部は、例えば液晶ディスプレイ等の表示装置であり、操作部は、例えばキーボード、マウス、タッチパネル、等の入力装置である。なお、ＵＩ部２８はデザイン作成装置１０に設けられていなくてもよい。
【００４０】
制御部３０は、デザイン作成装置１０の各部の動作を制御する。また、制御部３０は、表示制御部３２を含む。表示制御部３２は、テンプレート印象マップ上の表示対象領域内のマップ部分を表示装置に表示させる。例えば、表示制御部３２は、通信経路Ｎを介して、その表示対象領域内のマップ部分を端末装置１２に表示させる。
【００４１】
以下、図３を参照して、端末装置１２について詳しく説明する。図３には、端末装置１２の構成が示されている。通信部３４は通信インターフェースであり、通信経路Ｎを介して、他の装置にデータを送信する機能、及び、他の装置からデータを受信する機能を備えている。例えば、通信部３４によって、テンプレートの編集指示等を示す情報がデザイン作成装置１０に送信され、デザイン作成装置１０から送信されたテンプレート印象マップやテンプレート等の情報が受信される。記憶部３６はハードディスク等の記憶装置であり、プログラムやデータ等を記憶する。ＵＩ部３８はユーザインターフェースであり、表示部と操作部を含む。操作部は、例えばキーボード、マウス、タッチパネル、等の入力装置である。制御部４０は、端末装置１２の各部の動作を制御する。
【００４２】
以下、具体例を挙げて、デザイン作成装置１０について詳しく説明する。
【００４３】
まず、図４を参照して、テンプレートについて詳しく説明する。図４には、チラシや広告に関するテンプレートの一例が示されている。テンプレート４２は、例えば、表題文字オブジェクト４４，４６、本文文字オブジェクト４８、画像オブジェクト５０、図形オブジェクト５２及び変更禁止の画像オブジェクト５４によって構成されている。表題文字オブジェクト４４，４６、本文文字オブジェクト４８、画像オブジェクト５０及び図形オブジェクト５２は、デザインの変更が許可されたオブジェクトである。変更禁止の画像オブジェクト５４は、デザインの変更が禁止されたたオブジェクトである。画像オブジェクト５０は、例えばビットマップ形式の画像であり、図形オブジェクト５２は、例えばベクタ形式の図形である。
【００４４】
各オブジェクトに属するデザイン要素を異ならせながら、複数のテンプレートが作成される。これにより、各オブジェクトに属するデザイン要素が互いに異なる複数のテンプレートが作成される。例えば、表題文字オブジェクト４４，４６に属するデザイン要素（フォント）を異ならせながら、複数のテンプレートを作成する。これにより、表題文字オブジェクト４４，４６に属するデザイン要素（フォント）が互いに異なる複数のテンプレートが作成される。他のオブジェクトについても同様である。また、対象物毎に、複数の異なるテンプレートが作成される。各テンプレートは予め作成されてテンプレート記憶部１８に記憶されている。
【００４５】
次に、図５を参照して、テンプレート印象マップについて詳しく説明する。図５には、テンプレート印象マップ５６が示されている。
【００４６】
テンプレート印象マップ５６は、例えば、２つの軸（Ｘ軸、Ｙ軸）で規定された２次元マップである。テンプレート印象マップ５６上の各座標には、テイストを示す感性情報が予め対応付けられている。テンプレート印象マップ５６上の座標を指定することにより、その座標に対応するテイストが特定される。
【００４７】
テンプレート印象マップ５６において、横軸（Ｘ軸）がテイストの指標「Ｗａｒｍ」と「Ｃｏｏｌ」を規定する指標軸であり、縦軸（Ｙ軸）がテイストの指標「Ｈａｒｄ」と「Ｓｏｆｔ」を規定する指標軸である。例えば、右側の領域ほど「Ｃｏｏｌ」の印象が強くなっている。つまり、右側の領域ほど「Ｃｏｏｌ」感が強く感じられるテイストが対応付けられている。一方、左側の領域ほど「Ｗａｒｍ」の印象が強くなっている。つまり、左側の領域ほど「Ｗａｒｍ」感が強く感じられるテイストが対応付けられている。また、上側の領域ほど「Ｓｏｆｔ」の印象が強くなっている。つまり、上側の領域ほど「Ｓｏｆｔ」感が強く感じられるテイストが対応付けられている。一方、下側の領域ほど「Ｈａｒｄ」感が強くなっている。つまり、下側の領域ほど「Ｈａｒｄ」感が強く感じられるテイストが対応付けられている。
【００４８】
テンプレート印象マップ５６上には、各テンプレートが喚起するテイストに従って、互いに異なるテイストを喚起する複数のテンプレート又はテンプレートのサムネイル画像（縮小画像）がマッピングされている。図５に示す例では、各テンプレートのサムネイル画像５８が、テンプレート印象マップ５６上にマッピングされている。
【００４９】
一例として、テンプレート印象マップ５６は、テンプレートが喚起するテイストを数値化することで得られた感性スコア（印象類似度）に基づいて作成される。感性スコアは、例えば、テイストに対するテンプレートの喚起度を示す値、つまり、テンプレートがテイストの喚起に寄与する程度を示す値（印象の強度を示す値）である。感性スコアは、例えば、類型化１類に従った感性評価実験によって得られる。感性スコアに基づいてテンプレート印象マップ上の座標が決定され、各テンプレート又は各サムネイル画像がテンプレート印象マップ上に配置されている。
【００５０】
なお、テンプレート印象マップは、３次元以上の次元を有するマップであってもよいし、２次元のマップと１次元のスライダとが組み合わされたマップであってもよい。
【００５１】
次に、図６を参照して、オブジェクト印象マップとしての表題文字印象マップについて詳しく説明する。図６には、表題文字印象マップ６０が示されている。
【００５２】
表題文字印象マップ６０は、テンプレート印象マップ５６と同様に、２つの軸（Ｘ軸、Ｙ軸）で規定された２次元マップである。表題文字印象マップ６０上の各座標には、テイストを示す感性情報が予め対応付けられている。表題文字印象マップ６０上の座標を指定することにより、その座標に対応するテイストが特定される。
【００５３】
表題文字印象マップ６０において、横軸（Ｘ軸）がテイストの指標「Ｗａｒｍ」と「Ｃｏｏｌ」を規定する指標軸であり、縦軸（Ｙ軸）がテイストの指標「Ｈａｒｄ」と「Ｓｏｆｔ」を規定する指標軸である。これらの指標軸（Ｘ軸、Ｙ軸）は、テンプレート印象マップ５６における指標軸（Ｘ軸、Ｙ軸）と同じである。従って、表題文字印象マップ６０においては、テンプレート印象マップ５６と同様に、右側の領域ほど「Ｃｏｏｌ」感が強く感じられるテイストが対応付けられており、左側の領域ほど「Ｗａｒｍ」感が強く感じられるテイストが対応付けられている。また、上側の領域ほど「Ｓｏｆｔ」感が強く感じられるテイストが対応付けられており、下側の領域ほど「Ｈａｒｄ」感が強く感じられるテイストが対応付けられている。
【００５４】
表題文字印象マップ６０上には、表題文字オブジェクトに属する各デザイン要素が喚起するテイストに従って、表題文字オブジェクトに属する複数の異なるデザイン要素がマッピングされている。つまり、表題文字印象マップ６０は、表題文字オブジェクトについてのデザインのバリエーションを示すマップである。表題文字オブジェクトに属するデザイン要素は、例えば文字のフォントである。従って、表題文字印象マップ６０は、表題文字オブジェクトのフォントのバリエーションを示すマップである。表題文字オブジェクトには、互いに異なるテイストを喚起する複数のデザイン要素（フォント）、つまり、互いにテイストが異なる複数のデザイン要素（フォント）が属しており、表題文字印象マップ６０には、互いに異なるテイストを喚起する複数のデザイン要素（フォント）がマッピングされている。表題文字オブジェクトに属する各デザイン要素（フォント）が喚起するテイストが、表題文字印象マップ６０上の座標に対応しており、各デザイン要素（フォント）が喚起するテイストに従って、各デザイン要素（フォント）が表題文字印象マップ６０上に配置されている。
【００５５】
図６に示す例では、デザイン要素としてのフォントが喚起するテイストに従って、フォント（ポップ、丸ゴシック、各ゴシック、明朝等）を示す情報が、表題文字印象マップ６０上にマッピングされている。
【００５６】
一例として、表題文字印象マップ６０は、デザイン要素が喚起するテイストを数値化することで得られた感性スコアに基づいて作成される。感性スコアは、例えば、テイストに対する表題文字オブジェクトのデザイン要素（フォント）の喚起度を示す値、つまり、デザイン要素（フォント）がテイストの喚起に寄与する程度を示す値である。感性スコアに従って表題文字印象マップ６０上の座標が決定され、各デザイン要素（フォント）が表題文字印象マップ６０上に配置されている。
【００５７】
なお、表題文字印象マップは、３次元以上の次元を有するマップであってもよい。
【００５８】
次に、図７を参照して、オブジェクト印象マップとしての本文文字印象マップについて詳しく説明する。図７には、本文文字印象マップ６２が示されている。
【００５９】
本文文字印象マップ６２は、テンプレート印象マップ５６と同様に、２つの軸（Ｘ軸、Ｙ軸）で規定された２次元マップである。本文文字印象マップ６２上の各座標には、テイストを示す感性情報が予め対応付けられている。本文文字印象マップ６２上の座標を指定することにより、その座標に対応するテイストが特定される。
【００６０】
本文文字印象マップ６２において、横軸（Ｘ軸）がテイストの指標「Ｗａｒｍ」と「Ｃｏｏｌ」を規定する指標軸であり、縦軸（Ｙ軸）がテイストの指標「Ｈａｒｄ」と「Ｓｏｆｔ」を規定する指標軸である。これらの指標軸（Ｘ軸、Ｙ軸）は、テンプレート印象マップ５６における指標軸（Ｘ軸、Ｙ軸）と同じである。従って、本文文字印象マップ６２においては、テンプレート印象マップ５６と同様に、右側の領域ほど「Ｃｏｏｌ」感が強く感じられるテイストが対応付けられており、左側の領域ほど「Ｗａｒｍ」感が強く感じられるテイストが対応付けられている。また、上側の領域ほど「Ｓｏｆｔ」感が強く感じられるテイストが対応付けられており、下側の領域ほど「Ｈａｒｄ」感が強く感じられるテイストが対応付けられている。
【００６１】
本文文字印象マップ６２上には、本文文字オブジェクトに属する各デザイン要素が喚起するテイストに従って、本文文字オブジェクトに属する複数の異なるデザイン要素がマッピングされている。つまり、本文文字印象マップ６２は、本文文字オブジェクトについてのデザインのバリエーションを示すマップである。本文文字オブジェクトに属するデザイン要素は、例えば文字のフォントである。従って、本文文字印象マップ６２は、本文文字オブジェクトのフォントのバリエーションを示すマップである。本文文字オブジェクトには、互いに異なるテイストを喚起する複数のデザイン要素（フォント）、つまり、互いにテイストが異なる複数のデザイン要素（フォント）が属しており、本文文字印象マップ６２には、互いに異なるテイストを喚起する複数のデザイン要素（フォント）がマッピングされている。本文文字オブジェクトに属する各デザイン要素（フォント）が喚起するテイストが、本文文字印象マップ６２上の座標に対応しており、各デザイン要素（フォント）が喚起するテイストに従って、各デザイン要素（フォント）が本文文字印象マップ６２上に配置されている。
【００６２】
図７に示す例では、デザイン要素としてのフォントが喚起するテイストに従って、フォント（ポップ、丸ゴシック、各ゴシック、明朝等）を示す情報が、本文文字印象マップ６２上にマッピングされている。
【００６３】
一例として、本文文字印象マップ６２は、デザイン要素が喚起するテイストを数値化することで得られた感性スコアに基づいて作成される。感性スコアは、例えば、テイストに対する本文文字オブジェクトのデザイン要素（フォント）の喚起度を示す値、つまり、デザイン要素（フォント）がテイストの喚起に寄与する程度を示す値である。感性スコアに従って本文文字印象マップ６２上の座標が決定され、各デザイン要素（フォント）が本文文字印象マップ６２上に配置されている。
【００６４】
なお、本文文字印象マップは、３次元以上の次元を有するマップであってもよい。
【００６５】
次に、図８を参照して、オブジェクト印象マップとしての画像印象マップについて詳しく説明する。図８には、チラシや広告についての画像印象マップ６４が示されている。
【００６６】
画像印象マップ６４は、テンプレート印象マップ５６と同様に、２つの軸（Ｘ軸、Ｙ軸）で規定された２次元マップである。画像印象マップ６４上の各座標には、テイストを示す感性情報が予め対応付けられている。画像印象マップ６４上の座標を指定することにより、その座標に対応するテイストが特定される。
【００６７】
画像印象マップ６４において、横軸（Ｘ軸）がテイストの指標「Ｗａｒｍ」と「Ｃｏｏｌ」を規定する指標軸であり、縦軸（Ｙ軸）がテイストの指標「Ｈａｒｄ」と「Ｓｏｆｔ」を規定する指標軸である。これらの指標軸（Ｘ軸、Ｙ軸）は、テンプレート印象マップ５６における指標軸（Ｘ軸、Ｙ軸）と同じである。従って、画像印象マップ６４においては、テンプレート印象マップ５６と同様に、右側の領域ほど「Ｃｏｏｌ」感が強く感じられるテイストが対応付けられており、左側の領域ほど「Ｗａｒｍ」感が強く感じられるテイストが対応付けられている。また、上側の領域ほど「Ｓｏｆｔ」感が強く感じられるテイストが対応付けられており、下側の領域ほど「Ｈａｒｄ」感が強く感じられるテイストが対応付けられている。
【００６８】
画像印象マップ６４上には、画像オブジェクトに属する各デザイン要素が喚起するテイストに従って、画像オブジェクトに属する複数の異なるデザイン要素がマッピングされている。つまり、画像印象マップ６４は、画像オブジェクトについてのデザインのバリエーションを示すマップである。画像オブジェクトに属するデザイン要素は、例えばビットマップ形式の画像データである。従って、画像印象マップ６４は、画像のバリエーションを示すマップである。画像オブジェクトには、互いに異なるテイストを喚起する複数のデザイン要素（画像）、つまり、互いにテイストが異なる複数のデザイン要素（画像）が属しており、画像印象マップ６４には、互いに異なるテイストを喚起する複数のデザイン要素（画像）がマッピングされている。画像オブジェクトに属する各デザイン要素（画像）が喚起するテイストが、画像印象マップ６４上の座標に対応しており、各デザイン要素（画像）が喚起するテイストに従って、各デザイン要素（画像）が画像印象マップ６４上に配置されている。
【００６９】
図８に示す例では、デザイン要素としての画像が喚起するテイストに従って、画像Ａから画像Ｇが、画像印象マップ６４上に配置されている。
【００７０】
一例として、画像印象マップ６４は、デザイン要素が喚起するテイストを数値化することで得られた感性スコアに基づいて作成される。感性スコアは、例えば、テイストに対する画像オブジェクトのデザイン要素（画像）の喚起度を示す値、つまり、デザイン要素（画像）がテイストの喚起に寄与する程度を示す値である。感性スコアに従って画像印象マップ６４上の座標が決定され、各デザイン要素（画像）が画像印象マップ６４上に配置されている。
【００７１】
なお、画像印象マップは、３次元以上の次元を有するマップであってもよい。
【００７２】
次に、オブジェクト印象マップとしての図形色印象マップと図形影印象マップについて詳しく説明する。図形色印象マップと図形影印象マップは、図形オブジェクトに属する各デザイン要素が喚起するテイストに従って、図形オブジェクトに属する複数の異なるデザイン要素がマッピングされた複数次元のマップである。つまり、図形色印象マップ及び図形影印象マップは、図形オブジェクトについてのデザインのバリエーションを示すマップである。図形オブジェクトに属するデザイン要素は、例えば、図形の色（図形内を塗り潰す色）、及び、図形の影（図形内の透過度）である。従って、図形色印象マップは、図形の色のバリエーションを示すマップであり、図形影印象マップは、図形の影のバリエーションを示すマップである。
【００７３】
図９には、図形色印象マップ６６が示されている。図形色印象マップ６６は、テンプレート印象マップ５６と同様に、２つの軸（Ｘ軸、Ｙ軸）で規定された２次元マップである。図形色印象マップ６６上の各座標には、テイストを示す感性情報が予め対応付けられている。図形色印象マップ６６上の座標を指定することにより、その座標に対応するテイストが特定される。
【００７４】
図形色印象マップ６６において、横軸（Ｘ軸）がテイストの指標「Ｗａｒｍ」と「Ｃｏｏｌ」を規定する指標軸であり、縦軸（Ｙ軸）がテイストの指標「Ｈａｒｄ」と「Ｓｏｆｔ」を規定する指標軸である。これらの指標軸（Ｘ軸、Ｙ軸）は、テンプレート印象マップ５６における指標軸（Ｘ軸、Ｙ軸）と同じである。従って、図形色印象マップ６６においては、テンプレート印象マップ５６と同様に、右側の領域ほど「Ｃｏｏｌ」感が強く感じられるテイストが対応付けられており、左側の領域ほど「Ｗａｒｍ」感が強く感じられるテイストが対応付けられている。また、上側の領域ほど「Ｓｏｆｔ」感が強く感じられるテイストが対応付けられており、下側の領域ほど「Ｈａｒｄ」感が強く感じられるテイストが対応付けられている。
【００７５】
図形オブジェクトには、互いに異なるテイストを喚起する複数のデザイン要素（図形の色）、つまり、互いにテイストが異なる複数のデザイン要素（図形の色）が属している。図形色印象マップ６６には、互いに異なるテイストを喚起する複数のデザイン要素（図形の色）がマッピングされている。図形オブジェクトに属する各デザイン要素（図形の色）が喚起するテイストが、図形色印象マップ６６上の座標に対応しており、各デザイン要素（図形の色）が喚起するテイストに従って、各デザイン要素（図形の色）が図形色印象マップ６６上に配置されている。
【００７６】
図９に示す例では、デザイン要素としての図形の色が喚起するテイストに従って、カラーＡからカラーＥが、図形色印象マップ６６上に配置されている。
【００７７】
一例として、図形色印象マップ６６は、デザイン要素が喚起するテイストを数値化することで得られた感性スコアに基づいて作成される。感性スコアは、例えば、テイストに対する図形オブジェクトのデザイン要素（図形の色）の喚起度を示す値、つまり、デザイン要素（図形の色）がテイストの喚起に寄与する程度を示す値である。感性スコアに従って図形色印象マップ６６上の座標が決定され、各デザイン要素（図形の色）が図形色印象マップ６６上に配置されている。
【００７８】
なお、図形色印象マップは、３次元以上の次元を有するマップであってもよい。
【００７９】
図１０には、図形影印象マップ６８が示されている。図形影印象マップ６８は、テンプレート印象マップ５６と同様に、２つの軸（Ｘ軸、Ｙ軸）で規定された２次元マップである。図形影印象マップ６８上の各座標には、テイストを示す感性情報が予め対応付けられている。図形影印象マップ６８上の座標を指定することにより、その座標に対応するテイストが特定される。
【００８０】
図形影印象マップ６８において、横軸（Ｘ軸）がテイストの指標「Ｗａｒｍ」と「Ｃｏｏｌ」を規定する指標軸であり、縦軸（Ｙ軸）がテイストの指標「Ｈａｒｄ」と「Ｓｏｆｔ」を規定する指標軸である。これらの指標軸（Ｘ軸、Ｙ軸）は、テンプレート印象マップ５６における指標軸（Ｘ軸、Ｙ軸）と同じである。従って、図形影印象マップ６８においては、テンプレート印象マップ５６と同様に、右側の領域ほど「Ｃｏｏｌ」感が強く感じられるテイストが対応付けられており、左側の領域ほど「Ｗａｒｍ」感が強く感じられるテイストが対応付けられている。また、上側の領域ほど「Ｓｏｆｔ」感が強く感じられるテイストが対応付けられており、下側の領域ほど「Ｈａｒｄ」感が強く感じられるテイストが対応付けられている。
【００８１】
図形オブジェクトには、互いに異なるテイストを喚起する複数のデザイン要素（図形の影）、つまり、互いにテイストが異なる複数のデザイン要素（図形の影）が属している。図形影印象マップ６８には、互いに異なるテイストを喚起する複数のデザイン要素（図形の影）がマッピングされている。図形オブジェクトに属する各デザイン要素（図形の影）が喚起するテイストが、図形影印象マップ６８上の座標に対応しており、各デザイン要素（図形の影）が喚起するテイストに従って、各デザイン要素（図形の影）が、図形影印象マップ６８上に配置されている。
【００８２】
図１０に示す例では、デザイン要素としての図形の影が喚起するテイストに従って、透過度７０％（影あり）、透過度３０％（影あり）、及び、透過度０％（影なし）が、図形影印象マップ６８上に配置されている。
【００８３】
一例として、図形影印象マップ６８は、デザイン要素が喚起するテイストを数値化することで得られた感性スコアに基づいて作成される。感性スコアは、例えば、テイストに対する図形オブジェクトのデザイン要素（図形の影）の喚起度を示す値、つまり、デザイン要素（図形の影）がテイストの喚起に寄与する程度を示す値である。感性スコアに従って図形影印象マップ６８上の座標が決定され、各デザイン要素（図形の色）が図形影印象マップ６８上に配置されている。
【００８４】
なお、図形影印象マップは、３次元以上の次元を有するマップであってもよい。
【００８５】
上述したテンプレート印象マップ５６は予め作成されて印象マップ記憶部２０に記憶されていてもよいし、テンプレート印象マップ５６の表示指示に応じて、その都度、印象マップ作成部２６によって作成されてもよい。また、オブジェクト印象マップ（表題文字印象マップ６０、本文文字印象マップ６２、画像印象マップ６４、図形色印象マップ６６及び図形影印象マップ６８）は、予め作成されて印象マップ記憶部２０に記憶されている。
【００８６】
次に、図１１を参照して、印象マップ作成部２６によるテンプレート印象マップの作成処理について詳しく説明する。図１１には、その処理を示すフローチャートが示されている。
【００８７】
まず、ユーザが端末装置１２を用いて、テンプレート印象マップの表示指示を与える。この表示指示を示す情報は、通信経路Ｎを介して端末装置１２からデザイン作成装置１０に送信される。印象マップ作成部２６は、その表示指示に応じてテンプレート印象マップを作成する。以下、印象マップ作成部２６による処理について説明する。
【００８８】
印象マップ作成部２６は、テンプレート記憶部１８からマッピング対象のテンプレートを取得し、当該テンプレートを複数のオブジェクトに分解する（Ｓ０１）。例えば図４に示す例では、マッピング対象のテンプレート４２が、表題文字オブジェクト４４，４６、本文文字オブジェクト４８、画像オブジェクト５０及び図形オブジェクト５２に分解される。
【００８９】
次に、印象マップ作成部２６は、各オブジェクト印象マップを参照することにより、マッピング対象のテンプレートにおいて各オブジェクトに利用されているデザイン要素の感性スコア（オブジェクト印象マップ上の座標を示す情報）を取得する（Ｓ０２）。具体的には、印象マップ作成部２６は、図６に示されている表題文字印象マップ６０を参照することにより、テンプレート４２の表題文字オブジェクト４４，４６に利用されているデザイン要素（フォント）の感性スコア（表題文字印象マップ６０上の座標を示す情報）を取得する。表題文字オブジェクト４４，４６に利用されているデザイン要素（フォント）が、例えば「丸ゴシック」の場合、印象マップ作成部２６は、表題文字印象マップ６０上のデザイン要素「丸ゴシック」の座標を示す情報を取得する。印象マップ作成部２６は、他のオブジェクトについても、利用されているデザイン要素の感性スコア（座標を示す情報）を、対応するオブジェクト印象マップから取得する。
【００９０】
次に、印象マップ作成部２６は、各オブジェクトに利用されているデザイン要素の感性スコア（各オブジェクト印象マップ上の座標を示す情報）の平均値（平均の座標）を算出する（Ｓ０３）。図４に示す例では、表題文字オブジェクト４４，４６に利用されているデザイン要素（フォント）のスコア（座標）と、本文文字オブジェクト４８に利用されているデザイン要素（フォント）のスコア（座標）と、画像オブジェクト５０に利用されているデザイン要素（画像）のスコア（座標）と、図形オブジェクト５２に利用されているデザイン要素（図形の色、影）のスコア（座標）と、の平均値（平均の座標）が算出される。感性スコアの平均値（平均の座標）が、マッピング対象のテンプレートの感性スコア（テンプレート印象マップ上の座標）に相当する。
【００９１】
次に、印象マップ作成部２６は、マッピング対象のテンプレートについての利用履歴情報を履歴情報記憶部２２から取得し、その利用履歴情報が示す利用回数に応じて、テンプレート印象マップ上における当該テンプレートの表示サイズを決定する（Ｓ０４）。例えば、印象マップ作成部２６は、マッピング対象のテンプレートのサムネイル画像（縮小画像）を作成し、そのサムネイル画像の表示サイズを決定する。具体的には、印象マップ作成部２６は、利用回数が多いテンプレートほど、サムネイル画像の表示サイズを大きくし、利用回数が少ないテンプレートほど、サムネイル画像の表示サイズを小さくする。これにより、利用回数が多いテンプレートのサムネイル画像ほど、テンプレート印象マップ上においてより目立つようになる。
【００９２】
印象マップ作成部２６は、マッピング対象のテンプレート群に対して、上記のステップＳ０１からステップＳ０４の処理を適用する。例えば、印象マップ作成部２６は、テンプレート記憶部１８に記憶されている全テンプレートを対象として、上記のステップＳ０１からステップＳ０４の処理を適用する。
【００９３】
マッピング対象のテンプレート群がユーザによって指定されている場合、印象マップ作成部２６は、ユーザによって指定されたテンプレート群を対象として、上記のステップＳ０１からステップＳ０４の処理を適用する。
【００９４】
例えば、ユーザが端末装置１２を利用して特定の対象物（用途）を指定した場合、その特定の対象物（用途）を示す情報が検索キーとして、通信経路Ｎを介して端末装置１２からデザイン作成装置１０に送信される。この場合、印象マップ作成部２６は、その対象物（用途）を示す情報が対応付けられているテンプレート群を対象として、上記のステップＳ０１からステップＳ０４の処理を適応する。具体例を挙げて説明すると、ユーザによって対象物（用途）「チラシ」が指定された場合、印象マップ作成部２６は、その対象物「チラシ」を示す情報が対応付けられているテンプレート群（チラシ用のテンプレート群）を対象として、上記のステップＳ０１からステップＳ０４の処理を適用する。
【００９５】
また、ユーザが端末装置１２を利用して特定のテイストを指定した場合、その特定のテイストを示す情報が検索キーとして、通信経路Ｎを介して端末装置１２からデザイン作成装置１０に送信される。この場合、印象マップ作成部２６は、そのテイストを示す情報が対応付けられているテンプレート群を対象として、上記のステップＳ０１からステップＳ０４の処理を適用する。具体例を挙げて説明すると、ユーザによってテイスト「ダイナミック」が指定された場合、印象マップ作成部２６は、そのテイスト「ダイナミック」を示す情報が対応付けられているテンプレート群を対象として、上記のステップＳ０１からステップＳ０４の処理を適用する。
【００９６】
次に、印象マップ作成部２６は、テンプレート印象マップ上におけるマッピング対象のテンプレート群（サムネイル群）の分布状態、及び、各テンプレート（各サムネイル画像）の表示サイズに基づいて、テンプレート印象マップのサイズを決定する（Ｓ０５）。例えば、印象マップ作成部２６は、各テンプレートの感性スコア（テンプレート印象マップ上の座標）に基づいて、テンプレート印象マップ上における各サムネイル画像間の距離を算出し、各サムネイル画像間の距離及び各サムネイル画像の表示サイズに応じて、テンプレート印象マップを拡大又は縮小する。例えば、印象マップ作成部２６は、テンプレート印象マップ上に各サムネイル画像を配置したときに、テンプレート印象マップ上において各サムネイル画像が重ならないように、テンプレート印象マップを拡大又は縮小する。具体的には、印象マップ作成部２６は、各サムネイル画像間の距離が短いほど、テンプレート印象マップを縮小する。
【００９７】
次に、印象マップ作成部２６は、マッピング対象の各テンプレートの感性スコア（テンプレート印象マップ上の座標）に従って、テンプレート印象マップ上にマッピング対象のテンプレート群（サムネイル画像群）を配置する（Ｓ０６）。これにより、マッピング対象のテンプレート群（サムネイル画像群）がマッピングされたテンプレート印象マップが作成される。
【００９８】
なお、ステップＳ０１からステップＳ０３の処理は予め実行されていてもよい。この場合、各テンプレートには、自身の感性スコア（テンプレート印象マップ上の座標を示す情報）が予め対応付けられており、印象マップ作成部２６は、各テンプレートの感性スコア（座標）に従って、テンプレート印象マップ上にテンプレート（サムネイル画像）を配置する。
【００９９】
図１２には、上記のようにして作成されたテンプレート印象マップ５６が示されている。テンプレート印象マップ５６上には表示対象領域７０が設定されており、その表示対象領域７０内のマップ部分のデータが、通信経路Ｎを介してデザイン作成装置１０から端末装置１２に送信され、そのマップ部分が端末装置１２のＵＩ部３８に表示される。表示対象領域７０は、予め設定された形状を有する領域であり、図１２に示す例では矩形状の形状を有している。ユーザが端末装置１２のＵＩ部３８を利用して、テンプレート印象マップ５６上で表示対象領域７０を移動させると、移動先の表示対象領域７０内のマップ部分が端末装置１２に表示される。また、ユーザが端末装置１２のＵＩ部３８を利用してズームインの指示を与えると、表示対象領域７０内のマップ部分が拡大して表示される。一方、ユーザが端末装置１２のＵＩ部３８を利用してズームアウトの指示を与えると、表示対象領域７０内のマップ部分が縮小して表示される。
【０１００】
テンプレート印象マップ５６上に配置された複数のテンプレート（サムネイル画像）の中からユーザによって特定のテンプレートが選択され、編集指示がユーザによって与えられると、制御部３０は、その編集指示に従って、その特定のテンプレートを編集する。例えば、テンプレート中のフォントの種類、文字の配置、色、画像、等が、ユーザによって変更される。これにより、テンプレートに基づく出力物（例えば画像データ）が作成される。また、ユーザによって印刷指示が与えられた場合、編集前のテンプレートや出力物が印刷されてもよい。
【０１０１】
以上のように、本実施形態によると、互いに異なるテイストを喚起する複数のテンプレート（サムネイル画像）が、テンプレートが喚起するテイストに従って、テンプレート印象マップ５６上に配置される。ユーザがテイストを手掛かりにして表示対象領域７０を移動させることにより、移動先の領域に対応するテイストを喚起するテンプレート（サムネイル画像）が表示される。これにより、複数のテンプレートを登録順や名手順に並べて表示する場合と比べて、目的のテイストを喚起するテンプレートが見つけ易くなる。
【０１０２】
また、テンプレート印象マップ５６においては、利用回数の多いテンプレートのサムネイル画像ほど拡大して表示され、利用回数の少ないテンプレートのサムネイル画像ほど縮小して表示される。それ故、ユーザにおいて、サムネイル画像の表示サイズを参照することにより、テンプレートの利用頻度に認識される。例えば、テンプレートの人気又は不人気を判断する上で参考となる情報が、視覚的に判断し易い情報として、ユーザに提供される。
【０１０３】
以下、テンプレート印象マップのサイズを変更する場合について説明する。図１３には、変更前の通常サイズのテンプレート印象マップ７２が示されている。説明を簡便にするために、テンプレート印象マップ７２には、テンプレートのサムネイル画像７４，７６のみが配置されているものとする。サムネイル画像７４の座標は（１０，１５）であり、サムネイル画像７６の座標は（２０，−２０）である。サムネイル画像７４，７６の間にはスペースが形成されている。この場合、印象マップ作成部２６は、サムネイル画像７４，７６の大きさ及び座標を変えずに、サムネイル画像７４，７６が重ならない位置まで、テンプレート印象マップ７２を縮小する。これにより、テンプレート印象マップの縮尺が縮小される。図１４には、縮小後のテンプレート印象マップ７８が示されている。テンプレート印象マップ７８においては、サムネイル画像７４，７６の大きさ及び座標が維持されており、マップの縮尺のみが小さくなっている。
【０１０４】
上記のようにテンプレート印象マップ７８を縮小することにより、テンプレート印象マップのサイズを常に固定する場合と比べて、表示対象領域の移動距離が短くなるので、ユーザの操作量が減少し、目的のテイストを喚起するテンプレートがより見つけ易くなる。例えば、全テンプレートを対象としてテンプレート印象マップが作成された後に、ユーザが特定の対象物（用途）や特定のテイストを検索キーとして指定して、テンプレートの検索を指示したとする。この場合、その検索キーに対応するテンプレートがマッピング対象のテンプレートとして用いられるため、マッピング対象のテンプレートの数、つまり、テンプレート印象マップ上に配置されるテンプレートの数は、全テンプレートの数よりも少なくなる。この場合、印象マップ作成部２６は、各テンプレート間（各サムネイル画像間）の距離に応じて、テンプレート印象マップを縮小する。
【０１０５】
また、テンプレート印象マップを作成するときに、各テンプレート（各サムネイル画像）が重ならないようにテンプレート印象マップのサイズが決定されるので、各テンプレートが重なっている場合と比べて、テンプレート（サムネイル画像）が見易い。
【０１０６】
本実施形態においては、表示制御部３２は、テンプレート印象マップ上におけるテンプレート（サムネイル画像）の分布密度に応じて、表示対象領域のサイズを変更してもよい。図１５から図１７を参照して、この処理について説明する。図１５には、テンプレート印象マップ８０が示されている。表示制御部３２は、テンプレート印象マップ８０上におけるテンプレート（サムネイル画像）の分布密度が疎になるほど、表示対象領域のサイズを拡大し、テンプレート（サムネイル画像）の分布密度が密になるほど、表示対象領域のサイズを縮小する。つまり、分布密度が疎になるほどズームアウトし、分布密度が密になるほどズームインする。図１５において、表示対象領域８２が、ズームアウトした状態の表示対象領域であり、表示対象領域８４が、ズームインした状態の表示対象領域である。
【０１０７】
表示対象領域のサイズを変更した場合であっても、端末装置１２のＵＩ部３８に表示される表示ウィンドウ（表示対象領域内のマップ部分が表示されるウィンドウ）のサイズは変わらない。図１６及び図１７には、端末装置１２のＵＩ部３８に表示される表示ウィンドウ８６，８８が示されている。表示ウィンドウ８６には、表示対象領域８２内のマップ部分が表示されており、表示ウィンドウ８８には、表示対象領域８４内のマップ部分が表示されている。表示ウィンドウ８６，８８のサイズは同一である。表示ウィンドウ８６には、表示対象領域８２内のテンプレート（サムネイル画像）のサイズが維持されつつ、表示対象領域８４内のマップ部分の縮尺が縮小された状態で、表示対象領域８２内のマップ部分が表示されている。
【０１０８】
以上のように、テンプレート印象マップ上におけるテンプレート（サムネイル画像）の分布密度に応じて表示対象領域のサイズを変更することにより、表示対象領域のサイズを常に固定する場合と比べて、テンプレート印象マップの視認性が向上し、目的のテイストを喚起するテンプレートが見つけ易くなる。
【０１０９】
具体的には、テンプレート印象マップ上におけるテンプレート（サムネイル画像）の分布密度が疎になるほど、表示対象領域のサイズを拡大することにより（ズームアウトすることにより）、より小さなサイズの表対対象領域を用いる場合と比べて、表示対象領域の移動距離が短くなるので、ユーザの操作量が減少する。また、テンプレート印象マップ上におけるテンプレート（サムネイル画像）の分布密度が密なるほど、表示対象領域のサイズを縮小することにより（ズームインすることにより）、より大きなサイズの表示対象領域を用いる場合と比べて、各テンプレートが拡大して表示されるので、視認性が向上する。
【０１１０】
また、本実施形態において、印象マップ作成部２６は、テンプレート（サムネイル画像）の分布状態に応じて、テンプレート印象マップのスケールの最大値及び最小値を変更してもよい。例えば、印象マップ作成部２６は、マッピング対象のテンプレート群がテンプレート印象マップ上に配置されるようにしつつ、テンプレートが配置されていない領域が少なくなるようにスケールの最大値及び最小値を決定する。以下、図１８及び図１９を参照して、この処理について説明する。
【０１１１】
図１８には、変更前の通常サイズのテンプレート印象マップ９０が示されている。テンプレート印象マップ９０においては、Ｘ，Ｙ軸の座標の最大値は１００であり、Ｘ，Ｙ軸の座標の最小値は−１００である。テンプレート印象マップ９０は、例えば、全テンプレートを対象として作成されたマップであるとする。図１８に示す例では、テンプレート印象マップ９０上のほぼ全域にわたって、テンプレート（サムネイル画像）が配置されている。
【０１１２】
テンプレート印象マップ９０が作成された後に、ユーザが特定の対象物（用途）や特定のテイストを検索キーとして指定して、テンプレートの検索を指示したとする。この場合、その検索キーに対応するテンプレートがマッピング対象のテンプレートとして用いられるため、マッピング対象のテンプレートの数、つまり、テンプレート印象マップ上に配置されるテンプレートの数は、全テンプレートの数よりも少なくなる。この場合、印象マップ作成部２６は、変更後のテンプレート（サムネイル画像）の分布状態に応じて、テンプレート印象マップのスケールの最大値及び最小値を変更する。例えば、破線領域９２で囲まれているテンプレートがマッピング対象のテンプレートとして選択されておらず、それ以外のテンプレートがマッピング対象のテンプレートとして選択されたものとする。この場合、印象マップ作成部２６は、マッピング対象のテンプレートがテンプレート印象マップに含まれるようにしつつ、破線領域９２で囲まれている非マッピング処理対象のテンプレートが配置されている領域がテンプレート印象マップに含まれないように、テンプレート印象マップのスケールの最大値を小さくするとともに、最小値を大きくする。
【０１１３】
図１９には、スケールが変更された後のテンプレート印象マップ９４が示されている。テンプレート印象マップ９４には、破線領域９２で囲まれた非マッピング対象のテンプレートは配置されていない。マッピング対象のテンプレートが含まれつつ、非マッピング対象のテンプレートが配置されていた領域が含まれないように、テンプレート印象マップ９４のスケールの最大値及び最小値が決定されている。図１９に示す例では、Ｘ軸の最大値が「１００」から「７０」に変更されており、Ｘ軸の最小値が「−１００」から「−７０」に変更されており、Ｙ軸の最大値が「１００」から「６０」に変更されており、Ｙ軸の最小値が「−１００」から「−５０」に変更されている。
【０１１４】
以上のように、テンプレート印象マップ上におけるテンプレート（サムネイル画像）の分布状態に応じて、テンプレート印象マップのスケールの最大値及び最小値を変更することにより、テンプレート印象マップのスケールの最大値及び最小値を常に固定する場合と比べて、テンプレート印象マップ上においてテンプレート（サムネイル画像）が配置されていない領域が少なくなる。これにより、スケールの最大値及び最小値を常に固定する場合と比べて、テンプレート印象マップ上におけるテンプレート探索対象領域が狭くなるので、目的のテイストを喚起するテンプレートが見つけ易くなる。例えば、スケールの最大値及び最小値を常に固定する場合と比べて、表示対象領域の移動量が少なくて済むため、ユーザの操作量が減少する。
【０１１５】
上記のデザイン作成装置１０は、一例としてハードウェア資源とソフトウェアとの協働により実現される。具体的には、デザイン作成装置１０は、図示しないＣＰＵ等のプロセッサを備えている。当該プロセッサが、図示しない記憶装置に記憶されたプログラムを読み出して実行することにより、デザイン作成装置１０の各部の機能が実現される。上記プログラムは、ＣＤやＤＶＤ等の記録媒体を経由して、又は、ネットワーク等の通信経路を経由して、記憶装置に記憶される。または、デザイン作成装置１０の各部は、例えばプロセッサや電子回路等のハードウェア資源により実現されてもよい。その実現においてメモリ等のデバイスが利用されてもよい。別の例として、デザイン作成装置１０の各部は、ＤＳＰ（Digital Signal Processor）やＦＰＧＡ（Field Programmable Gate Array）等によって実現されてもよい。
【符号の説明】
【０１１６】
１０  デザイン作成装置、１２  端末装置、１４  通信部、１６  情報記憶部、１８  テンプレート記憶部、２０  印象マップ記憶部、２２  履歴情報記憶部、２４  出力物作成部、２６  印象マップ作成部、２８  ＵＩ部（ユーザインターフェース部）、３０  制御部、３２  表示制御部。
【図１】
0006763155.tif 000002
【図２】
0006763155.tif 000003
【図３】
0006763155.tif 000004
【図４】
0006763155.tif 000005
【図５】
0006763155.tif 000006
【図６】
0006763155.tif 000007
【図７】
0006763155.tif 000008
【図８】
0006763155.tif 000009
【図９】
0006763155.tif 000010
【図１０】
0006763155.tif 000011
【図１１】
0006763155.tif 000012
【図１２】
0006763155.tif 000013
【図１３】
0006763155.tif 000014
【図１４】
0006763155.tif 000015
【図１５】
0006763155.tif 000016
【図１６】
0006763155.tif 000017
【図１７】
0006763155.tif 000018
【図１８】
0006763155.tif 000019
【図１９】
0006763155.tif 000020